(57)【要約】【課題】  フィンの表面積を拡大したフィンを提供する。【解決手段】  少なくとも１以上の主フィンが略並行に整列したフィン部材であって、主フィンの側面に、当該主フィンの側面部材の一部を切り裂いた補助フィンを備えることを特徴とする。【選択図】  図１
2013068372.tif 000002
【特許請求の範囲】
【請求項１】
少なくとも１以上の主フィンが略並行に整列したフィン部材であって、前記主フィンの側面に、当該主フィンの側面部材の一部を切り裂いた補助フィンを備えることを特徴とするフィン部材。
【請求項２】
前記補助フィンは、互いに上下に配置された複数枚の補助フィンであることを特徴とする請求項１に記載のフィン部材。
【請求項３】
前記補助フィンは、三角形状の補助フィンであることを特徴とする請求項１に記載のフィン部材。
【請求項４】
前記補助フィンは、中空部を有する袋形の補助フィンであることを特徴とする請求項１に記載のフィン部材。
【請求項５】
前記主フィンは、複数の山部及び複数の谷部が互いに連続して形成されるコルゲートフィンであることを特徴とする請求項１から４のいずれかに記載のフィン部材。
【発明の詳細な説明】
【技術分野】
【０００１】
本発明は発熱体の冷却などに用いられるフィン部材に関し、特に、主フィンの側面にさらに補助フィンを形成することによりフィンの表面積を増大させたフィン部材に関するものである。
【背景技術】
【０００２】
コルゲートフィンは、一般にラジエータ等の熱交換器などに用いられる。コルゲートフィンによる冷却効率を向上させる手段の一つには、フィンの表面積を増大することがある。従来の技術には、コルゲートフィンの側面にルーバーを設けることにより、表面積を増加させた技術がある（例えば、特許文献１参照）。
【先行技術文献】
【特許文献】
【０００３】
【特許文献１】特開2007-105753号公報
【発明の概要】
【発明が解決しようとする課題】
【０００４】
しかしながら、特許文献１の技術では、ルーバーが面から突出する方向が一方向に限られてしまうため、フィン側面の間のデットスペースを有効に活用しているとはいい難い。また、コルゲートフィンの高さが低い場合にはルーバーを形成するのは困難である。
【０００５】
本発明は、このような従来の問題を解決するためになされたもので、主フィンの側面に、主フィンの側面部を一定の板厚でカンナ状に切り裂いて削いだ補助フィンを設けることにより、フィン部材の表面積を増大させたフィン部材を提供しようとするものである。
【課題を解決するための手段】
【０００６】
本発明は、少なくとも１以上の主フィンが略並行に整列したフィン部材であって、主フィンの側面に、当該主フィンの側面部材の一部を切り裂いた補助フィンを備えることを特徴とする。
【発明の効果】
【０００７】
本発明によれば、フィン部材の表面積を拡大することが可能となる。
【図面の簡単な説明】
【０００８】
【図１】本発明の第１実施形態のフィン部材を示す図である。
【図２】本発明の第２実施形態のフィン部材を示す図である。
【図３】本発明の第３実施形態のフィン部材を示す図である。
【図４】本発明の第４実施形態のフィン部材を示す図である。
【図５】本発明の第５実施形態及び第６実施形態のフィン部材を示す図である。
【発明を実施するための形態】
【０００９】
以下、本発明の実施形態であるフィン部材について、図を参照して詳細に説明をする。なお、下記各実施形態に共通する構成及び効果については冗長な記載となることを防止するため記載を省略する。
【００１０】
（第１実施形態）
図１は、本発明の第１実施形態のフィン部材を示す図であり、図１（ａ）は、本発明の第１実施形態のフィン部材の上面図であり、図１（ｂ）は、本発明の第１実施形態のフィン部材の正面図であり、図１（ｃ）は、図１（ａ）のＡ部を拡大した斜視図である。
【００１１】
本実施形態のフィン部材１００は、山部１０１ａ、谷部１０２ａ、山部１０１ｂ、谷部１０２ｂ、山部１０１ｃ、谷部１０２ｃ、山部１０１ｄ、及び谷部１０２ｄが連続したコルゲートフィンとして構成される。なお、山部、谷部の数はこれに限られず、必要に応じて増減可能である。
【００１２】
さらに、本実施形態の山部１０１ａ〜ｄ、及び、谷部１０２ａ〜ｄの、互いに山部、谷部が対向する側面には、山部、谷部の幅方向に所定の間隔を有して多重補助フィン１０３、１０４が備わる。なお、本実施形態では、重なり合う補助フィンの数を２枚としたが、これに限られず、３枚以上としてもよい。
【００１３】
図１（ｃ）に示すように、山部の側面及び谷部の側面に多重補助フィンを形成することにより、コルゲートフィン内のデットスペース（図中のＳ部等）を利用して、さらに、フィンの表面積を拡大することが可能となる。
【００１４】
本実施形態の多重補助フィン１０３、１０４は、コルゲートフィンの側面をパンチ等により所定の板厚でカンナ状に切り裂いて削ぐことにより形成すればよい。このように、本実施形態の多重補助フィン１０３、１０４は、山部１０１ｄの側面を所定の板厚で切り裂いて形成されるため、フィン部材を新たに溶接したり、取り付ける必要がなく、加工が容易である。
【００１５】
（第２実施形態）
図２は、本発明の第２実施形態のフィン部材を示す図であり、図２（ａ）は、本発明の第２実施形態のフィン部材の上面図であり、図２（ｂ）は、本発明の第２実施形態のフィン部材の正面図であり、図２（ｃ）は、図２（ａ）のＢ部を拡大した斜視図である。
【００１６】
本実施形態のフィン部材２００は、山部２０１ａ、谷部２０２ａ、山部２０１ｂ、谷部２０２ｂ、山部２０１ｃ、谷部２０２ｃ、山部２０１ｄ、及び谷部２０２ｄが連続したコルゲートフィンとして構成される。なお、山部、谷部の数はこれに限られず、必要に応じて増減可能である。
【００１７】
さらに、本実施形態の山部２０１ａ〜ｄ、及び、谷部２０２ａ〜ｄの、互いに山部、谷部が対向する側面には、所定の間隔を有して１枚補助フィン２０３が備わる。
【００１８】
上記第１実施形態の補助フィンが山部の側面及び谷部の側面の垂直方向に伸びるのに対し、本実施形態の１枚補助フィンは、図２（ｃ）に示すように山部の側面及び谷部の側面から斜め方向に所定の角度を有して伸張している。
【００１９】
本実施形態の１枚補助フィン２０３は、コルゲートフィンをパンチ等により所定の板厚で切り裂くことにより形成すればよい。
【００２０】
（第３実施形態）
図３は、本発明の第３実施形態のフィン部材を示す図であり、図３（ａ）は、本発明の第３実施形態のフィン部材の上面図であり、図３（ｂ）は、本発明の第３実施形態のフィン部材の正面図であり、図３（ｃ）は、図３（ａ）のＣ部を拡大した斜視図である。
る。
【００２１】
本実施形態のフィン部材３００は、山部３０１ａ、谷部３０２ａ、山部３０１ｂ、谷部３０２ｂ、山部３０１ｃ、谷部３０２ｃ、山部３０１ｄ、及び谷部３０２ｄが連続したコルゲートフィンとして構成される。なお、山部、谷部の数はこれに限られず、必要に応じて増減可能である。
【００２２】
さらに、本実施形態の山部３０３ａ〜ｄ、及び、谷部３０３ａ〜ｄの、互いに山部、谷部が対向する側面には、所定の間隔を有して斜め補助フィン３０３が備わる。
【００２３】
図３（ｃ）に示すように、本実施形態の斜め補助フィンは、山部の側面及び谷部の側面に凹部３０４が形成され、当該凹部３０４から略三角形状の補助フィン３０３が伸張している。
【００２４】
本実施形態の斜め補助フィン３０３は、コルゲートフィンを、パンチ等により所定の板厚で切り裂くことにより形成すればよい。
【００２５】
（第４実施形態）
図４は、本発明の第４実施形態のフィン部材を示す図であり、図４（ａ）は、本発明の第４実施形態のフィン部材の上面図であり、図４（ｂ）は、本発明の第４実施形態のフィン部材の正面図であり、図４（ｃ）は、図４（ａ）のＤ部を拡大した斜視図である。
【００２６】
本実施形態のフィン部材４００は、山部４０１ａ、谷部４０２ａ、山部４０１ｂ、谷部４０２ｂ、山部４０１ｃ、谷部４０２ｃ、山部４０１ｄ、及び谷部４０２ｄが連続したコルゲートフィンとして構成される。なお、山部、谷部の数はこれに限られず、必要に応じて増減可能である。
【００２７】
さらに、本実施形態の山部４０３ａ〜ｄ、及び、谷部４０３ａ〜ｄの、互いに山部、谷部が対向する側面には、所定の間隔を有して袋形開口補助フィン４０３が備わる。
【００２８】
図４（ｃ）に示すように、本実施形態の袋形開口補助フィンは、山部の側面及び谷部の側面に中空部４０４が形成され、当該中空部を略袋形の補助フィン４０３が覆っている。
【００２９】
本実施形態の袋形開口補助フィン４０３は、コルゲートフィンをパンチ等により所定の板厚で切り裂くことにより形成すればよい。
【００３０】
（第５実施形態）
上記実施形態では、主にコルゲートフィンに補助フィンを設ける形態について説明をしたが、補助フィンはコルゲートフィン以外にも適用することが可能である。
【００３１】
図５は、本発明の第５実施形態のフィン部材を示す図であり、図５（ａ）は、本発明の第５実施形態のフィン部材の斜視図であり、図５（ｂ）は、本発明の第６実施形態のフィン部材の斜視図である。
【００３２】
図５（ａ）に示すように、本実施形態のフィン部材５００は、アルミニウムの押出成形等により形成された主フィン５０１ａ〜５０１ｅを備える。また、主フィン５０１ａ〜５０１ｅの各々には、略三角形状の補助フィン５０２が伸張している。本実施形態の略三角形状の補助フィン５０２は、フィンをパンチ等により所定の板厚で切り裂くことにより形成すればよい。また、補助フィン５０２は、主フィン５０１の両側面に設けてもよいし、片側に設けてもよい。
【００３３】
また、図５（ｂ）に示すように、本実施形態のフィン部材６００は、任意のブロックより形成された主フィン６０１からなり、主フィン６０１には、略三角形状の補助フィン６０２が伸張している。本実施形態の略三角形状の補助フィン６０２は、フィンを、パンチ等により所定の板厚で切り裂くことにより形成すればよい。また、補助フィン６０２は、主フィン６０１の両側面に設けてもよいし、片側に設けてもよい。
【００３４】
なお、本発明の各実施形態のフィン部材では、山部の側面及び谷部の側面を所定の板厚で切り裂くため、切り裂きの程度によっては、フィンの山部の側面及び谷部の側面に穴が開くことになるが、フィンの用途に応じて、穴を開けるか開けないかを決定すればよい。
【００３５】
また、補助フィンの形状は上記実施形態に限られず、例えば曲面状としてもよい。
【００３６】
以上、説明したように、本発明の各実施形態のフィン部材は、フィンの側面を所定の板厚で切り裂いて形成されるため、フィンを新たに溶接したり、取り付ける必要がなく、加工が容易である。
【００３７】
また、主フィンの側面に補助フィンを形成することにより、主フィン間のデットスペースを利用して、さらに、フィン部材の表面積を拡大することが可能となる。
【符号の説明】
【００３８】
１００：フィン部材
１０１：山部
１０２：谷部
１０３：多重補助フィン
１０４：多重補助フィン
【図１】
2013068372.tif 000003
【図２】
2013068372.tif 000004
【図３】
2013068372.tif 000005
【図４】
2013068372.tif 000006
【図５】
2013068372.tif 000007
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
少なくとも１以上の主フィンが略並行に整列したフィン部材であって、前記主フィンの側面に、前記主フィンの側面を貫通する開口が形成されないように前記主フィンの側面部材の一部を切り裂いた補助フィンを備えることを特徴とするフィン部材。
【請求項２】
前記補助フィンは、互いに上下に配置された複数枚の補助フィンであることを特徴とする請求項１に記載のフィン部材。
【請求項３】
前記補助フィンは、三角形状の補助フィンであることを特徴とする請求項１に記載のフィン部材。
【請求項４】
前記補助フィンは、中空部を有する袋形の補助フィンであることを特徴とする請求項１に記載のフィン部材。
【請求項５】
前記主フィンは、複数の山部及び複数の谷部が互いに連続して形成されるコルゲートフィンであることを特徴とする請求項１から４のいずれかに記載のフィン部材。
【手続補正２】
【補正対象書類名】明細書
【補正対象項目名】０００６
【補正方法】変更
【補正の内容】
【０００６】
本発明は、少なくとも１以上の主フィンが略並行に整列したフィン部材であって、主フィンの側面に、主フィンの側面を貫通する開口が形成されないように当該主フィンの側面部材の一部を切り裂いた補助フィンを備えることを特徴とする。
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
複数の山部及び複数の谷部が互いに連続して形成されるコルゲートフィンが略並行に整列したフィン部材であって、前記コルゲートフィンの側面に、前記コルゲートフィンの側面を貫通する開口が形成されないように前記コルゲートフィンの側面部材の一部を切り裂いた補助フィンを、前記コルゲートフィン間のデットスペースに備えることを特徴とするフィン部材。
【請求項２】
前記補助フィンは、互いに上下に配置された複数枚の補助フィンであることを特徴とする請求項１に記載のフィン部材。
【請求項３】
前記補助フィンは、三角形状の補助フィンであることを特徴とする請求項１に記載のフィン部材。
【請求項４】
前記補助フィンは、中空部を有する袋形の補助フィンであることを特徴とする請求項１に記載のフィン部材。
【手続補正２】
【補正対象書類名】明細書
【補正対象項目名】０００６
【補正方法】変更
【補正の内容】
【０００６】
本発明は、複数の山部及び複数の谷部が互いに連続して形成されるコルゲートフィンが略並行に整列したフィン部材であって、コルゲートフィンの側面に、コルゲートフィンの側面を貫通する開口が形成されないように当該コルゲートフィンの側面部材の一部を切り裂いた補助フィンを、コルゲートフィン間のデットスペースに備えることを特徴とする。
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
複数の山部及び複数の谷部が互いに連続して形成されるコルゲートフィンが略並行に整列したフィン部材であって、前記コルゲートフィンの側面に、前記コルゲートフィンの側面を貫通する開口が形成されないように前記コルゲートフィンの側面部材の一部を切り裂いた略板状の補助フィンを、前記コルゲートフィン間のデットスペースに備えることを特徴とするフィン部材。
【請求項２】
前記補助フィンは、互いに上下に配置された複数枚の補助フィンであることを特徴とする請求項１に記載のフィン部材。
【請求項３】
前記補助フィンは、三角形状の補助フィンであることを特徴とする請求項１に記載のフィン部材。
【手続補正２】
【補正対象書類名】明細書
【補正対象項目名】０００６
【補正方法】変更
【補正の内容】
【０００６】
本発明は、複数の山部及び複数の谷部が互いに連続して形成されるコルゲートフィンが略並行に整列したフィン部材であって、コルゲートフィンの側面に、コルゲートフィンの側面を貫通する開口が形成されないように当該コルゲートフィンの側面部材の一部を切り裂いた略板状の補助フィンを、コルゲートフィン間のデットスペースに備えることを特徴とする。